【事件の表示】
　特願２０１４−５５１０５９「電気的接触子」拒絶査定不服審判事件〔平成２６年　６月１２日国際公開、ＷＯ２０１４／０８７９０６、請求項の数（９）〕について、次のとおり審決する。
【結　論】
　原査定を取り消す。
　本願の発明は、特許すべきものとする。
【理　由】
第１  手続の経緯
　この審判事件に関する出願（本願）は、平成２４年１２月４日にされた特許出願及び平成２５年１月９日にされた特許出願に基づく優先権を主張して平成２５年１１月２７日にされた国際特許出願である。
　本願について、平成２９年５月１７日付けで拒絶理由が通知され、同年７月１４日に意見書が提出されるとともに特許請求の範囲についての補正がなされたが、同年１１月３０日付けで拒絶査定（原査定）がなされ、査定の謄本が同年１２月１９日に送達された。これに対し、平成３０年３月１９日に拒絶査定不服審判が請求され、同時に特許請求の範囲についての補正がされた。
　
第２  本願発明
　本願の請求項１ないし請求項９に係る発明（以下、「本願発明１」ないし「本願発明９」という。）は、平成３０年３月１９日に補正された特許請求の範囲の請求項１ないし請求項９に記載された事項により特定されるとおりのものである。
　特に、本願発明１は、以下のとおりのものである。
　
「【請求項１】
　検査対象物に当接させるコンタクト部と、
　配線基板と導通させる端子部と、
　上記コンタクト部及び端子部の間に設けられ、湾曲方向を予め定める湾曲形状を有する弾性変形部と、
　ガイド板の貫通孔により、長手方向に移動可能に支持され、上記弾性変形部の湾曲により所定の方向へ傾けられる摺動部とを備え、
　上記摺動部は、中間層が外層で挟まれ、積層面が長手方向に延びる積層構造を有し、その側面において、上記中間層が上記外層よりも上記所定の方向に向けて突出し、上記貫通孔の内面に対し、上記外層を押圧させることなく上記中間層を押圧させることを特徴とする電気的接触子。」
　また、本願発明２ないし本願発明９は、本願発明１の構成を全て含む「電気的接触子」の発明である。 
　
第３  原査定における拒絶理由の概要
　この出願の請求項１ないし請求項９に係る発明は、以下の引用文献１ないし引用文献６に記載された発明に基づいて、当業者が容易に発明をすることができたものであるから、特許法第２９条第２項の規定により特許を受けることができない。
　　引用文献１：特開２００７−１７８４０３号公報
　　引用文献２：特開２０１２−１７３２６３号公報
　　引用文献３：米国特許出願公開第２０１２／０２４２３６３号明細書
　　引用文献４：国際公開第２００７／０１７９５５号
　　引用文献５：特開２００７−１３２６８１号公報
　　引用文献６：特開平３−２０９１７３号公報
　
第４  引用文献に記載された発明等
１  引用文献１
　引用文献１には、以下の記載がある。なお、下線は合議体が付したものである。
　
（１）  段落０００１
「【０００１】
　この発明は、
ＬＣＤパネルなどを電気的に検査する際に用いられるプローブピン
　
（２）  段落００１４から段落００１６まで
「【００１４】
（実施の形態）
　図１は、この発明の実施の形態であるプローブピンの概要構成を示す断面図である。
このプローブピン１０は、プランジャー１，２とコイルばね３とを有し
中間絶縁体５は、被検査物の接触端子位置に対応した位置に円柱状の孔部８を有する
中間絶縁体５の上側および下側には、それぞれ上側絶縁体６および下側絶縁体７が
設けられ
孔部８と同軸であって孔部８の径に比して小さな径をもつ円形の上側開口部８ａおよび下側開口部８ｂをそれぞれ有する
【００１５】
　
プランジャー１は、被検査物に接触する先端側がくさび状の多層平板によって形成され
先端側が外部に突き出るように上側開口部８ａに挿入され
プランジャー２は、検査装置側の接続端子と接触するために先端側が針状に形成された円柱状をなし
先端側が外部に突き出るように下側開口部８ｂに挿入され
孔部８には
コイルばね３が挿入され
このコイルばね３の反力によってプランジャー１，２を反力によって外部に押し付けられた状態で、各プランジャー１，２が孔部８内で摺動できるように組み立てられる
【００１６】
　図２は、プランジャー１の構成を示す斜視図であり、図３は、プランジャー１の正面図であり、図４は、プランジャー１の右側面図であり、図５は、プランジャー１の平面図である。図２〜図５において、
プランジャー１は、先端側がくさび状に形成された略帯状の平板である中心層１１の両面に、補強層１２，１３が形成される
補強層１２，１３は、中心層１１の形状とほぼ同じ形状の平板であって、中心層１１の形状を縮小した形状である
　
（３）  段落００１８
「【００１８】
　ここで、
プランジャー１は多層平板であるため、その断面が十字形状となる
したがって
プランジャー１の摺動時に、プランジャー１の先端側と上側開口部８ａと接触が安定するため、先端部の位置精度や摺動の安定性をもたせることができる
単層の平板の場合、上側開口部８ａとの接触が線的になり
面的に広がった接触に比して、不安定なものとなる
　上記（１）ないし（３）の記載によれば、引用文献１には、以下の発明（以下、「引用発明」という。）が記載されている。
　
「被検査物に接触する先端側がくさび状の多層平板によって形成されるプランジャー１と、
検査装置側の接続端子と接触するために先端側が針状に形成された円柱状をなすプランジャー２と、
コイルばね３と、
被検査物の接触端子位置に対応した位置に円柱状の孔部８を有し、孔部８にコイルばね３が挿入される中間絶縁体５と、
中間絶縁体５の上側に設けられ、孔部８と同軸で孔部８の径に比して小さな径をもつ円形の上側開口部８ａを有し、上側開口部８ａにプランジャー１の先端側が外部に突き出るように挿入される上側絶縁体６と、
中間絶縁体５の下側に設けられ、孔部８と同軸で孔部８の径に比して小さな径をもつ円形の下側開口部８ｂを有し、下側開口部８ｂにプランジャー２の先端側が外部に突き出るように挿入される下側絶縁体７と、
を備え、
コイルばね３の反力によってプランジャー１、２を外部に押し付けた状態で、各プランジャー１、２が孔部８内で摺動できるように組み立てられており、
プランジャー１は、先端側がくさび状に形成された略帯状の平板である中心層１１の両面に、中心層１１の形状とほぼ同じ形状の平板であって中心層１１の形状を縮小した形状である補強層１２、１３が形成された多層平板であって、その断面が十字形状であるため、摺動時にその先端側と上側開口部８ａとの接触が、単層平板の場合のような線的な接触ではなく面的に広がった接触となって安定し、先端部の位置精度や摺動の安定性をもたせることができる、
ＬＣＤパネルなどを電気的に検査する際に用いられるプローブピン１０。」
２  引用文献２
　引用文献２には、以下の記載がある。なお、下線は合議体が付したものである。
　
（１）  段落００２２から段落００２３まで
「【００２２】
　図中の（ａ）に示した
コンタクトプローブ１００は、略直線状の細長い形状からなる本体部１の一端にコンタクト部２を形成した垂直型プローブである
検査対象物上の電極端子にコンタクト部２を当接させて使用される
オーバードライブ時には、本体部１が弓形に弾性変形することにより、電極端子に対し、コンタクト部２を確実に接触させることができる
【００２３】
　
本体部１は、空隙１０Ｓを介して主面を対向させた２枚の板状体１０Ａ，１０Ｂと、これらの板状体１０Ａ，１０Ｂの一端（後端）を互いに結合させた第１結合部１１と、上記板状体１０Ａ，１０Ｂの他端（前端）を互いに結合させた第２結合部１２とによって構成される
（２）  段落００３２から段落００３４まで
「【００３２】
　
プローブユニット５は、
ガイド板５１，５２
により構成される
【００３３】
　コンタクトプローブ１００は、本体部１の上端が、ガイド板５１のガイド穴５１ｈに挿入され、配線基板５０上の電極端子５０ｔに接続されている。また、
コンタクト部２が形成された本体部１の下端は、ガイド板５２のガイド穴５２ｈを貫通し、ガイド板５２から突出している
【００３４】
　つまり、
コンタクトプローブ１００は、その両端付近をガイド板５１，５２によって上下動可能に支持され
（３）  段落００４３から段落００４４まで
「【００４３】
　図６は、図４のコンタクトプローブ１０２のオーバードライブによる弾性変形の他の例を示した図である。図中の（ａ）には、オーバードライブ直前の状態が示され、図中の（ｂ）には、オーバードライブ後の状態が示されている。図６を図４と比較すれば、コンタクトプローブ１０２の前端付近がガイド板５２によって長手方向に移動可能に支持されている点で異なる。
【００４４】
　コンタクトプローブ１０２は、
オーバードライブ前及びオーバードライブ後のいずれにおいても、第２結合部１２がガイド板５２のガイド穴５２ｈの内周面と対向するように保持されている
　上記（１）ないし（３）の記載によれば、引用文献２には、以下の技術事項が記載されている。
　
「コンタクトプローブ１００は、略直線状の細長い形状からなる本体部１の一端にコンタクト部２を形成した垂直型プローブであって、
検査対象物上の電極端子にコンタクト部２を当接させて使用され、
本体部１が、空隙１０Ｓを介して主面を対向させた２枚の板状体１０Ａ、１０Ｂと、これらの板状体１０Ａ、１０Ｂの一端を互いに結合させた第１結合部１１と、上記板状体１０Ａ、１０Ｂの他端を互いに結合させた第２結合部１２とによって構成され、オーバードライブ時には、弓形に弾性変形することにより、電極端子に対し、コンタクト部２を確実に接触させることができ、
コンタクト部２が形成された本体部１の下端は、プローブユニット５を構成するガイド板５２のガイド穴５２ｈを貫通し、ガイド板５２から突出し、上下動可能に支持され、
オーバードライブ前及びオーバードライブ後のいずれにおいても、第２結合部１２がガイド板５２のガイド穴５２ｈの内周面と対向するように保持されている。」
　
３  引用文献３
　引用文献３には、以下の記載がある。なお、下線及び訳文は合議体が付したものである。
　
（１）  段落００３４から段落００３５まで
「[0034] FIG. 1 illustrates 
a test system 100 for testing DUT 114
vertical, non-linear contact elements 112
The acronym DUT is short for device under test,
（訳文：図１は、
垂直非線形の接触素子１１２が、
ＤＵＴ１１４試験用の試験システム１００
ＤＵＴは「被試験デバイス（device under test）」
[0035] As shown in FIG. 1, test system 100 can include a tester 102 configured to control testing of DUT 114 and 
a contactor 106 configured to be an interface between tester 102 and DUT 114
試験器１０２とＤＵＴ１１４との間のインターフェースとなるよう構成された接触子１０６
（２）  段落００４２
「[0042] As illustrated in FIGS. 2A and 2B, 
contact element 200 can comprise a first base end 202, a body 204, and a second base end 212
First base end 202 can be coupled to
a surface 122 of contactor 106 or a component of contactor 106
Second base end 212 can comprise a contact tip 214 configured to make direct contact with a terminal 116 of DUT 114
body 204 can comprise multiple, elongate leaves 206
Each leaf 206 can deform elastically
Opposite ends 208 of each leaf 206 can be coupled respectively to first base end 202 and second base end 212, and there can be a space 210 between each leaf 206
（訳文：図２Ａ及び図２Ｂで示されるように、
接触素子２００は、第１の端基部２０２と、本体２０４と、第２の端基部２１２とを含みうる
第１の端基部２０２は、接触子１０６の表面１２２又は接触子１０６の構成要素と結合され
第２の端基部２１２は、ＤＵＴ１１４の端子１１６との直接接触を形成するように構成された接触先端部２１４を含みうる
本体２０４は、複数の、細長い板２０６を含みうる
各板２０６は弾性的に
変形しうる
各板２０６の両端２０８はそれぞれ第１の端基部２０２と第２の端基部２１２とに結合され、各板２０６間には間隔２１０が設けられうる
（３）  段落００６５から段落００７６まで
「[0065] Contact elements 200 (including any variation of contact elements 200 discussed above such as contact elements 500, 600, 700, 800, 900, and/or 1000 ) can be made in any suitable manner. (…（略）…) FIGS. 11A-14 illustrate an example of a lithographic process for making contact elements 200. …（略）…
（訳文：接触素子２００（接触素子５００、６００、７００、８００、９００及び／又は１０００などの、上述の接触素子２００のあらゆる変形形態を含む）は任意の適切な手法で作製することができる。（…（略）…）図１１Ａ〜図１４は、接触素子２００を作製するためのリソグラフィ工程の一例を示す。…（略）…）
[0066]…（略）…[0075] The result can be, as shown in FIG. 14, contact element 200. As shown, 
the first base end 202 can comprise first base portions 1106, 1206, and 1306
the leaves 206 can comprise leaf portions 1110, 1210, and 1310
second base end 212 can comprise second base portions 1208, 1208, and 1308
（訳文：…（略）…結果は図１４に示されるような接触素子２００となりうる。図示されるように、
第１の端基部２０２は第１の基部部分１１０６、１２０６及び１３０６を含むことができ
板２０６は板部分１１１０、１２１０及び１３１０を含むことができ
第２の端基部２１２は第２の基部部分１２０８、１２０８及び１３０８を含むことができる
[0076] As another example of a variation of the contact element 200, any of the leaf portions 1110, 1210, and/or 1310 can comprise more than one material. As yet another example, leaves 206 can be made of different materials. For example, two or more or all of leaf portions 1110, 1210, and 1310 can comprise different materials. As still another example, although 
contact element 200
comprising three layers
some
layers of contact element 200 can be better electrical conductors than other
layers
（訳文：接触素子２００の変形形態の別の例としては、板部分１１１０、１２１０及び／又は１３１０のいずれかを、１つより多い材料で構成することができる。さらに別の例としては、複数の板２０６を異なる材料で作製することができる。例えば、板部分１１１０、１２１０及び１３１０のうちの２つ以上又は全てを異なる材料で構成することができる。さらに別の例としては、図１４において
接触素子２００を３つの層で構成している
接触素子２００のいくつかの
層を
他の
層に比してより良好な電気伝導体とすることもできる
（４）  段落０１１８から段落０１１９まで
「[0118] As shown in FIG. 26A, 
second base end 2612 can also be disposed in a hole 2610 in a guide structure 2608
as a contact tip 2616 of the second base end 2612 is pressed against a terminal 116 of a DUT
, the second base end 2612 moves up and down in the hole 2610
Guide structure 2608 can
be a guide plate with multiple holes 2610 for holding multiple contact elements
（訳文：図２６Ａで示されるように、
第２の端基部２６１２もまた、ガイド構造部２６０８の穴２６１０内に配置することができる
第２の端基部２６１２の接触先端部２６１６がＤＵＴ
の端子１１６に対して押し付けられると、第２の端基部２６１２が穴２６１０内において上下に移動する
ガイド構造部２６０８は
複数の接触素子を保持するための複数の穴２６１０を有するガイド板とすることができる
[0119] FIGS. 26B-26D (each of which shows a bottom view of the contact element 2600 of FIG. 26A ) illustrate examples of a hole 2610 in guide structure 2608 according to some embodiments of the invention. As generally discussed above (and as noted by the arrows in FIGS. 26B-26D ), 
the second base end 2612 can tend to move laterally
as the contact element 2600 compresses and then buckles
shaped such that the second base end 2612 contacts a wall of the hole 2610
（訳文：図２６Ｂ〜２６Ｄ（そのそれぞれが図２６Ａの接触素子２６００の底面図を示す）は、本発明のいくつかの実施形態によるガイド構造部２６０８内の穴２６１０の例を示す。上で全般的に述べたように（及び図２６Ｂ〜２６Ｄの矢印によって示されるように）、
接触素子２６００が圧縮して後に屈曲すると、第２の端基部２６１２は、
横に移動する傾向をもちうる
第２の端基部２６１２が穴２６１０の壁に接触するような格好となり
　上記（１）ないし（４）の記載によれば、引用文献３には、以下の技術事項が記載されている。
　
「垂直非線形の接触素子２００（１１２）は、被試験デバイス（ＤＵＴ）１１４試験用の試験システム１００に用いられ、第１の端基部２０２と、本体２０４と、第２の端基部２１２とを含むものであり、
第１の端基部２０２は、試験器１０２とのインターフェースである接触子１０６と結合され、
第２の端基部２１２は、ＤＵＴ１１４の端子１１６との直接接触を形成するように構成された接触先端部２１４を含み、
本体２０４は、弾性的に変形しうる複数の細長い板２０６を含み、各板２０６の両端２０８はそれぞれ第１の端基部２０２と第２の端基部２１２とに結合され、各板２０６間には間隔２１０が設けられ、
第１の端基部２０２、板２０６及び第２の端基部２１２のそれぞれは３つの層（部分）で構成され、いくつかの層を他の層よりも良好な電気伝導体とすることができ、
第２の端基部２６１２は、ガイド構造部２６０８の穴２６１０内に配置することができ、接触先端部２６１６がＤＵＴの端子１１６に対して押し付けられると、穴２６１０内において上下に移動するものであり、
ガイド構造部２６０８は、複数の接触素子を保持するための複数の穴２６１０を有するガイド板であり、
第２の端基部２６１２は、接触素子２００（２６００）が圧縮して後に屈曲すると、横に移動して穴２６１０の壁に接触するような格好となる。」
　
第５  対比・判断
１  本願発明１について
（１）  対比
　本願発明１と引用発明とを対比すると、以下のとおりである。 
ア  引用発明の「ＬＣＤパネルなどを電気的に検査する際に用いられるプローブピン１０」は、本願発明１の「電気的接触子」に相当する。 
イ  引用発明の「多層平板によって形成されるプランジャー１」の「被検査物に接触する先端側」は、本願発明１の「検査対象物に当接させるコンタクト部」に相当する。 
ウ  引用発明における「プランジャー２」は「検査装置側の接続端子と接触する」ものであるが、「検査装置側の接続端子」が何らかの配線基板に設けられることは当然のことであるから、「検査装置側の接続端子と接触する」「プランジャー２」は、本願発明１の「配線基板と導通させる端子部」に相当する。 
エ  引用発明では、「プランジャー１の先端側が」「挿入される」「上側開口部８ａを有」する「上側絶縁体６」と、「プランジャー２の先端側が」「挿入される」「下側開口部８ｂを有」する「下側絶縁体７」との間に、「コイルばね３が挿入される」「孔部８を有」する「中間絶縁体５」が設けられ、「コイルばね３の反力によってプランジャー１、２を外部に押し付けた状態」とされているのであるから、「コイルばね３」は「プランジャー１」と「プランジャー２」の間に設けられている。
　よって、引用発明の「コイルばね３」と本願発明の「弾性変形部」とは、「コンタクト部及び端子部の間に設けられ」る「弾性変形部」であるという点で共通する。
オ  引用発明では、「プランジャー１」が、「円柱状」の「孔部８内で摺動できるように組み立てられており」、「プランジャー１」の「摺動時にその先端側と上側開口部８ａとの接触が、単層平板の場合のような線的な接触ではなく面的に広がった接触となって安定し、先端部の位置精度や摺動の安定性をもたせることができる」ようになっている。
　つまり、「プランジャー１」は、「上側開口部８ａ」により「円柱状」の「孔部８」の深さ方向（長手方向）に摺動できるようににより支持されており、「上側開口部８ａ」は本願発明１の「貫通孔」に相当し、「上側開口部８ａ」を有する「上側絶縁体６」は本願発明１の「ガイド板」に相当するといえる。また、引用発明の「プランジャー１」の「先端側」における「上側開口部８ａ」と接触する部位は、本願発明１の「摺動部」と、「ガイド板の貫通孔により、長手方向に移動可能に支持され」る「摺動部」であるという点で共通する。
カ  引用発明の「プランジャー１」は、「先端側がくさび状に形成された略帯状の平板である中心層１１の両面に、中心層１１の形状とほぼ同じ形状の平板であって中心層１１の形状を縮小した形状である補強層１２、１３が形成された多層平板であって、その断面が十字形状である」ため、「プランジャー１」の「先端側」における「上側開口部８ａ」と接触する部位についても同様に、「略帯状の平板である中心層１１の両面に、中心層１１の形状とほぼ同じ形状の平板であって中心層１１の形状を縮小した形状である補強層１２、１３が形成された多層平板であって、その断面が十字形状である」ものであると認められる。
　ここで、引用発明の「中心層１１」及び「補強層１２、１３」は、本願発明１の「中間層」及び「外層」にそれぞれ相当する。引用発明において、「プランジャー１」の「先端側」における「上側開口部８ａ」と接触する部位が、「略帯状の平板である中心層１１の両面に」「ほぼ同じ形状の平板であ」る「補強層１２、１３が形成された多層平板」であるということは、本願発明１において、「摺動部」が、「中間層が外層で挟まれ、積層面が長手方向に延びる積層構造を有」しているということに相当する。　
　また、引用発明において、「補強層１２、１３」は「中心層１１の形状を縮小した形状」であって、「多層平板」の断面が「十字形状」であることから、多層平板の側面において「中心層１１」は「補強層１２、１３」よりも突出しているといえ、このことは、本願発明の「摺動部」が「その側面において、上記中間層が上記外層よりも」「突出し」ているということに相当する。
（２）  一致点及び相違点
　上記（１）の対比の結果をまとめると、本願発明１と引用発明との一致点及び相違点は、以下のとおりである。 
ア  一致点 
「検査対象物に当接させるコンタクト部と、
　配線基板と導通させる端子部と、
　上記コンタクト部及び端子部の間に設けられる弾性変形部と、
　ガイド板の貫通孔により、長手方向に移動可能に支持される摺動部とを備え、
　上記摺動部は、中間層が外層で挟まれ、積層面が長手方向に延びる積層構造を有し、その側面において、上記中間層が上記外層よりも突出する
電気的接触子。」 
イ  相違点 
（ア）  相違点１
　本願発明では、弾性変形部が「湾曲方向を予め定める湾曲形状を有」し、摺動部が「弾性変形部の湾曲により所定の方向へ傾けられ」、中間層の突出する方向が「上記所定の方向」（つまり、弾性変形部の湾曲により摺動部が傾けられる方向）となっているのに対して、引用発明では、「コイルばね３」が「コイル」形状を有しており、「プランジャー１」の「先端側」における「上側開口部８ａ」と接触する部位が「コイルばね３」の湾曲により「所定の方向へ傾けられ」るかどうかが不明であり、よってそのような傾きの方向と「中心層１１」の突出する方向とが一致するかどうかも不明である点。
　
（イ）  相違点２
　本願発明では、摺動部が、「貫通孔の内面に対し、上記外層を押圧させることなく上記中間層を押圧させる」ようになっているのに対して、引用発明では、プランジャー１の先端側が上側開口部８ａとの間で、「単層平板の場合のような線的な接触ではなく面的に広がった接触」を行うようになっている点。
　
（３）  相違点についての判断
　事案に鑑みて、相違点２について先に検討する。
　引用発明が相違点２に係る本願発明１の構成を備えるようにするには、引用発明の「プランジャー１」の「先端側」における「上側開口部８ａ」と接触する部位において、多層平板の「補強層１２、１３」を「上側開口部８ａ」に接触させることなく「中心層１１」のみを「上側開口部８ａ」に接触させる必要がある。 
　しかし、引用発明の「プランジャー１」は、「摺動時にその先端側と上側開口部８ａとの接触が、単層平板の場合のような線的な接触ではなく面的に広がった接触となって安定し、先端部の位置精度や摺動の安定性をもたせることができる」ものとされていることから、「補強層１２、１３」を「上側開口部８ａ」に接触させる方が「面的に広がった接触となって安定し」て望ましく、逆に、「補強層１２、１３」を「上側開口部８ａ」に接触させないようにすると引用発明の利点が失われるため、そうすることには阻害要因があるともいえる。
　また、引用文献２ないし引用文献６のいずれも、引用発明の「プランジャー１」の「先端側」における「上側開口部８ａ」と接触する部位において、「補強層１２、１３」を「上側開口部８ａ」に接触させないといったことを示唆するものではない。
　特に、引用文献２には、「コンタクト部２が形成された本体部１の下端は、プローブユニット５を構成するガイド板５２のガイド穴５２ｈを貫通し、ガイド板５２から突出し、上下動可能に支持され、オーバードライブ前及びオーバードライブ後のいずれにおいても、第２結合部１２がガイド板５２のガイド穴５２ｈの内周面と対向するように保持されている」という技術事項が記載されており、「ガイド板５２のガイド穴５２ｈの内周面と対向するように保持されている」「第２結合部１２」が、本願発明１の「ガイド板の貫通孔により、長手方向に移動可能に支持され」る「摺動部」に相当するものといえるが、「第２結合部１２」が積層構造を有し、外層は「ガイド穴５２ｈの内周面」に対し押圧されないといったことは、記載も示唆もされていない。
　また、引用文献３には、「第１の端基部２０２、板２０６及び第２の端基部２１２のそれぞれは３つの層（部分）で構成され、いくつかの層を他の層よりも良好な電気伝導体とすることができ、第２の端基部２６１２は、ガイド構造部２６０８の穴２６１０内に配置することができ、接触先端部２６１６がＤＵＴの端子１１６に対して押し付けられると、穴２６１０内において上下に移動するものであり、ガイド構造部２６０８は、複数の接触素子を保持するための複数の穴２６１０を有するガイド板であり、第２の端基部２６１２は、接触素子２００（２６００）が圧縮して後に屈曲すると、横に移動して穴２６１０の壁に接触するような格好となる」という技術事項が記載されており、「ガイド板」の「穴２６１０内において上下に移動するものであり」、「穴２６１０の壁に接触するような格好となる」ものでもある「第２の端基部２６１２」が、本願発明１の「ガイド板の貫通孔により、長手方向に移動可能に支持され」る「摺動部」に相当するものといえるが、「第２の端基部２６１２」を構成する３つの層のうちの外側の層が「穴２６１０の壁」に対し押圧されないといったことは、記載も示唆もされていない。
　さらに、引用文献４ないし引用文献６は、本願発明１の「ガイド板の貫通孔により、長手方向に移動可能に支持され」る「摺動部」に相当する構成を開示するものではないことから、相違点２に係る本願発明１の構成を開示するものでもない。
　したがって、相違点２に係る本願発明１の構成は、引用発明と、引用文献２ないし引用文献６に記載された技術事項とに基づいて、当業者が容易に想到し得るものであるということはできない。 
（４）  本願発明１についてのまとめ 
　以上のとおりであるから、本願発明１は、相違点１を検討するまでもなく、引用文献１ないし引用文献６に記載された発明に基づいて、当業者が容易に発明をすることができたものであるということはできない。 
２  本願発明２ないし本願発明９について 
　本願発明２ないし本願発明９は、本願発明１の構成を全て含むから、少なくとも本願発明１と引用発明との相違点（上記１（２）イ）で引用発明と相違する。そして、前記１（３）のとおり、相違点２に係る本願発明１の構成は、引用発明と引用文献２ないし引用文献６に記載された技術事項とに基づいて、当業者が容易に想到し得るものであるということはできないから、相違点２に係る本願発明２ないし本願発明９の構成も同様である。 
　したがって、本願発明２ないし本願発明９は、引用文献１ないし引用文献６に記載された発明に基づいて、当業者が容易に発明をすることができたものであるということはできない。 
第６  原査定について 
　上記第５のとおり、本願発明１ないし本願発明９は、引用文献１ないし引用文献６に記載された発明に基づいて、当業者が容易に発明をすることができたものであるということはできない。
　したがって、原査定の理由は、維持することができない。 
第７  むすび
　以上のとおりであるから、原査定の理由によっては、本願は拒絶をするべきものであるということはできない。 
　また、他に、本願は拒絶をするべきものであるとする理由を発見しない。 
　よって、結論のとおり審決する。